【事件の表示】
　平成　４年特許願第３１５２３２号「内視鏡装置」拒絶査定不服審判事件〔平成　６年　６月　３日出願公開、特開平　６−１５４１５８〕について、次のとおり審決する。
【結　論】
　本件審判の請求は、成り立たない。
【理　由】
１．手続の経緯・本願発明
　本願は、平成４年１１月２５日の出願であって、平成１４年２月２５日付け（発送日平成１４年３月４日）で拒絶査定され、平成１４年４月３日に拒絶査定に対する審判請求がされ、平成１６年７月８日付け（発送日平成１６年７月１３）で当審による拒絶理由通知がされたものである。
　本願の請求項１−３に係る発明は、平成１３年７月２３日付け、および平成１６年９月１３日付け（受付日平成１６年９月１５日）の手続補正書により補正された明細書及び図面の記載からみて、その特許請求の範囲の請求項１−３に記載にされたとおりのものであり、請求項１の記載は次のとおりのものである。
（以下、請求項１に係る発明を「本願発明」という）
　「【請求項１】内部に照明光学系、観察光学系及び流体の送出を行うための第１のチューブを備えた第１のスコープと、内部に流体の送出を行うためのチューブを備えること無く照明光学系及び観察光学系を備えた第２のスコープと、この第２のスコープに装着され、内部に流体の送出を行うための第２のチューブを備えたオーバーチューブと、前記第１のチューブに流体を送出するための流体装置と、前記流体装置に設けられ、前記第１のチューブの基端側開口に流体を送出可能にかつ着脱自在に前記第１のチューブと接続する接続部と、前記オーバーチューブに設けられ、前記接続部と着脱自在にかつ前記流体を流入可能に接続する第２のチューブと、を具備することを特徴とする内視鏡装置。」
　
２．刊行物
　これに対して、前記当審の拒絶理由通知で引用した刊行物は、次のものである。
刊行物１．特開平４−３２５１３８号公報
刊行物２．実願平３−２１６１９号（実開平４−１１７６０１号）のマイク　　　　　ロフィルム
刊行物３．特開平４−２６１６３６号公報
　
　刊行物１には、
　「【要約】【目的】検査終了後に内視鏡から取り外す際に、内視鏡側を汚染するおそれのない内視鏡の外套装置を提供することを目的とする。
　【構成】細長い内視鏡挿入部２０を外部から隔離するように被覆するための筒状のシース１００と、上記内視鏡挿入部２０の基端部に連結された操作部３０を包み込むために上記シース１００の基端部に連なって設けられた操作部カバー１４と、上記シース１００内を通って上記シース１００の先端部分に連通し、上記シース１００の基端部分から上記操作部カバー１４の外側に延出して配置された流体送通チューブ４とにより構成する。」、
　「【０００９】【課題を解決するための手段】上記の目的を達成するため、本発明の内視鏡の外套装置は、細長い内視鏡挿入部を外部から隔離するように被覆するための筒状のシースと、上記内視鏡挿入部の基端部に連結された操作部を包み込むために上記シースの基端部に連なって設けられた操作部カバーと、上記シース内を通って上記シースの先端部分に連通し、上記シースの基端部分から上記操作部カバーの外側に延出して配置された流体送通チューブとを設けたことを特徴とする。」、
　「【００１４】図２は、本発明の内視鏡の外套装置が被せられる内視鏡２００を示しており、２０は、細長い可撓管からなる挿入部（内視鏡挿入部）である。挿入部２０の外周面には、上部に全長にわたって軸方向にＵ字状の凹溝２１が形成されている。」、
　「【００１５】挿入部２０の先端には、遠隔操作によって屈曲する湾曲部２３が形成され、さらにその先端には、観察窓及び照明窓（図示せず）が設けられた先端部本体２４が連結されている。」、
　「【００１６】挿入部２０の基端側には操作部（内視鏡操作部）３０が連結されている。３１及び３２は、後述する外套装置の流体送通チューブを操作部３０の定位置に固定するためのチューブ押さえ部。４１及び４２は、流体送通チューブの管路を開閉操作するための管路開閉操作装置。３３は、管路開閉操作装置４１，４２によって動作する可動ピン４１ｇ，４１ｈ，４２ｇに対向する位置に流体送通チューブを固定するための受け部である。これらについては、順次詳細に説明をする。」、
　「【００１７】３５は、図示されていないイメージガイドファイババンドルを経由して観察窓から送られてきた像を観察するための接眼部。３６は、図示されていない光源装置から供給された照明光を照明窓へ送るライトガイドファイババンドルが挿通された光源接続用可撓管である。」、
　「【００２０】４は、例えば四フッ化エチレン樹脂で形成された流体送通チューブであり、シース１００内に全長にわたって挿通されている。流体送通チューブ４は、鉗子チャンネルを兼ねる吸引チューブ４ｓと送気チューブ４ａ及び送水チューブ４ｗを有しており、内視鏡挿入部２０の凹溝２１に沿うように配置されている。流体送通チューブ４の後端側は、口元支持体３からある程度の長さ１本にまとめられたままの状態で後方に延出している。」、
　「【００２８】操作部カバー１４は、操作部３０を全長にわたって包み込むよう、その一端は接眼部３５の基部に巻き付けられている。……」、
　「【００５２】……図１に示されるように、チューブ支持枠１５を受け部３３に押し込んで取り付けると共に、チューブ４，４ｓ，４ａ，４ｗをガイド溝３１ａ，３２ａに嵌め込んで、操作部カバー１４を操作部３０に固定する。……」
　「【００５３】……このようにして、チューブ４，４ｓ，４ａ，４ｗが、操作部カバー１４の外側に配置された状態で操作部３０にしっかりと固定され、管路開閉操作装置４１，４２によって送気、送水及び吸引の操作を行うことができる。」、
　「【００６１】また本発明に適用される内視鏡は、送気、送水及び吸引の操作を操作部に設けた電気スイッチで行うものでもよく、観察光学系に固体撮像素子を用いたいわゆる電子内視鏡でもよく、……」、
　が記載されている。
　
　刊行物２には、
  「【０００８】【課題を解決するための手段】本考案の内視鏡用流体制御装置は、機種を識別するための被識別手段を設けている内視鏡に対して、送気、送液、吸引または還流の少なくともいづれか一つを行うための管路制御手段を有する内視鏡用流体制御装置であって、前記内視鏡の被識別手段により、機種を検知する検知手段と、送気、送液、吸気、または還流の少なくともいづれか一つの作動圧力を調整する圧力調整手段と、前記検知手段が検知した前記内視鏡の機種に応じて、前記圧力調整手段の作動圧力を切り替える圧力切り替え手段とを備えている。」、
　「【００１１】図２に示すように、内視鏡１は、本実施例の内視鏡用流体制御装置が適用される一例としての電子内視鏡である。この内視鏡１は、手元側の把持部を兼ねた操作部２を有し、この操作部２の前方に先端構成部及び湾曲部を設けた細長で可撓性を有する挿入部３を延設している。前記操作部２からは、側方に可撓性のユニバーサルコード４が延設されている。内視鏡１は、このユニバーサルコード４の端部に設けられたコネクタ５を介して、例えば光源装置及び内視鏡用流体制御装置を内設したビデオプロセッサ６へ接続されるようになっている。前記ビデオプロセッサ６は、内視鏡１からの撮像信号を信号処理する信号処理回路を有し、接続したモニタ７へ伝送して画像表示するようになっている。また、このビデオプロセッサ６は、内視鏡用流体制御装置としての機能も有し、後述する送気ポンプを内設し、かつ、この送気ポンプ及び後述の管路を介して連通した送水タンク８、環流用吸引ビン９、及び後述の吸引ポンプに連通している管路に吸引チューブ１０を取付るようになっている。尚、操作部２には、後述の還流停止用のスイッチ６５が設けられていてる。また、本考案が適用される内視鏡は、前記電子内視鏡に限ることなく、フアィバーなどの光学式内視鏡にも適用される。」、
　が記載されている。　
　
  刊行物３には、
　内視鏡種類判別手段を備え、種類の違った内視鏡でも、同じ光源、同じビデオプロセッサ、同じ流体装置に接続できるようになっている内視鏡装置が記載されており、さらに、
　「【００７６】図１６は第３実施例に係る内視鏡装置の構成を示す構成図である。第３実施例の内視鏡は、図１６に示すように、ライトガイド３３７、管路３２５、送気管路３２７、送水管路３２８及び図示しない吸引管路等が設けられていて、特に、操作部にはモータ３２１、湾曲操作ワイヤ３１７、ドラム３１８等が設けられている。」、
　「【００７８】そして集中制御装置３０７にはユニバーサルコード３０４及びコネクタ３０６を介して、ＣＣＤ駆動用ライン、信号ラインに接続されるＣＣＤ駆動回路３６６、モータ駆動用ラインに接続されるモータ駆動回路３６７、送水管路３２８に接続される水タンク３６８、送水用ポンプ３６９、送気管路３２７に接続される送気ポンプ３７１、光源３７２、吸引タンク３７３、吸引ポンプ３７４、送水用ポンプ３６９を駆動する回路３７５、送気ポンプ３７１を駆動する回路３７６、吸引ポンプ３７４を駆動する回路３７７が内蔵されている。」、
　「【００７９】さらに、集中制御装置３０７には内視鏡を操作する各種操作スイッチが設けられている。すなわち、モータ駆動回路３６７を制御するジョイスティック１４６、回路３７５を制御する送水スイッチ１４８、回路３７６を制御する送気スイッチ１５０、……、回路３７７を制御する吸引スイッチ１５４、……が設けられていて、また、制御回路３００は、各種スイッチの出力信号が入力され、回路３６６、３６７、３７５、３７６、３７２、３７７を制御するように設けられている。……。操作部及びリモコン操作部３０２には内視鏡を操作できるように各種スイッチが設けられている。」、
　が記載されている。
　
３．対比・検討
　対比
　本願発明と、刊行物１に記載された発明を対比すると、刊行物１の「内部に流体の送出を行うためのチューブを備えることなく、ライトガイドファイババンドルとイメージガイドファイババンドルを備えた内視鏡２００」、「内部に流体の送出を行うためのチューブ（体内に流体を送出する送水チューブ４ｗ、送気チューブ４ａ、乃至は、体外に流体を送出する吸引チューブ４ｓ）を設けた、細長い内視鏡挿入部を外部から隔離するように被覆するための筒状のシース１００」がそれぞれ、本願発明の「内部に流体の送出を行うためのチューブを備えること無く照明光学系及び観察光学系を備えた第２のスコープ」、「この第２のスコープに装着され、内部に流体の送出を行うための第２のチューブを備えたオーバーチューブ」に相当するから両者は、
　「内部に流体の送出を行うためのチューブを備えること無く照明光学系及び観察光学系を備えた第２のスコープと、この第２のスコープに装着され、内部に流体の送出を行うための第２のチューブを備えたオーバーチューブとからなるもの」である点で一致し、次の点で相違する。
　
　相違点
　本願発明は、内部に照明光学系、観察光学系及び流体の送出を行うための第１のチューブを備えた第１のスコープと、第１のチューブに流体を送出するための流体装置と、前記流体装置に設けられ、前記第１のチューブの基端側開口に流体を送出可能にかつ着脱自在に前記第１のチューブに接続する接続部と、前記オーバチューブに設けられ、前記接続部と着脱自在にかつ前記流体を流入可能に接続する第２のチューブと、を具備する内視鏡装置であるのに、刊行物１にはそれについて記載がない点。　
　
　検討
　前記相違点について検討すると、
　「内部に照明光学系、観察光学系及び流体の送出を行うためのチューブを備えたスコープ」（第１のチューブを備えた第１のスコープ）は、従来周知であり（例として、刊行物２の図１，２に記載された内視鏡３、刊行物３の図１に記載の内視鏡２を参照。いずれの内視鏡も第１のスコープに該当する）、また、刊行物１に記載の発明において、「流体の送出を行うためのチューブを備えない内視鏡２００と、流体の送出を行うためのチューブを備えたシース１００とを組み立て合体したもの」は、全体として内視鏡であるということができ、さらにまた、照明光学系、観測光学系及び流体の送出を行うためのチューブを備えた内視鏡であって種類の違うものを、それらが共用するところの同じ光源、同じビデオプロセッサ、及び同じ流体装置に選択的に接続して、全体として内視鏡装置を構成するという技術思想が従来周知（刊行物２，３を参照）であるから、「内部に照明光学系、観察光学系及び流体の送出を行うためのチューブを備えたスコープ」と、「流体の送出を行うためのチューブを備えない内視鏡２００と、流体の送出を行うためのチューブを備えたシース１００とを組み立て合体してなる全体としての内視鏡」を、流体装置を共用するべく、同じ流体装置に選択的に接続して、全体としての内視鏡装置を構成するようにすること、換言すると、流体装置に、内部に照明光学系、観察光学系及び流体の送出を行うためのチューブを備えたスコープのチューブの基端側開口に流体を送出可能にかつ着脱自在にこのチューブに接続するための接続部を設け、該接続部が、シース１００に設けた流体の送出を行うためのチューブとも着脱自在にかつ前記流体を流入可能に接続できるようなものであるようなものとしておくことは、当業者が容易に想到できたものである。
　
４．むすび　
　したがって、本願発明は、刊行物１−３に記載された発明に基づいて当業者が容易に発明できたものであるので、その余の請求項について検討するまでもなく特許法第２９条第２項の規定により、特許を受けることができない。
　よって、結論のとおり審決する。